(57)【特許請求の範囲】
【請求項１】
ラスモルタルによる外壁材を施工してなる外壁において、外壁骨組み部材の外側に設置した外壁下地材を覆って取り付けられる防水シートに形成された、当該防水シートを固定するための釘部材及びラス網を固定するための釘部材を前記外壁下地材に向けて打ち込んだ際の貫通孔を介して、前記外壁材側から前記外壁下地材側に水が浸入しないようにするための外壁防水構造であって、
前記防水シートは、合成樹脂製の基材シートの前記外壁材側の面を不織布層によって一面貼付けしてコーティングすると共に、前記外壁下地材側の面を高分子吸収樹脂層によって一面コーティングした防水シート材料からなり、
前記防水シートは、前記基材シートとラスモルタルのモルタルとの間に前記不織布層を介在させて、前記モルタルと密着していると共に、前記高分子吸収樹脂層を前記釘部材の打込み圧力によって前記外壁下地材に密着させた状態で、前記外壁下地材に取り付けられている外壁防水構造。
【請求項２】
前記防水シートは、ポリプロピレンを８０重量％、ポリエチレンを２０重量％混合した樹脂からなる、厚さが１４０μｍのシート材料を前記基材シートとして、これの前記外壁下地材側の面に、アクリル酸ナトリウム系の高吸水性ポリマーを８ｇ／ｍ2の塗布量で一面均一コーティングして前記高分子吸収樹脂層を形成すると共に、これの前記外壁材側の面に、ポリオレフィン系の不織布を１２ｇ／ｍ2の目付量（単位面積あたりの重量）で一面貼付けして前記不織布層を形成した前記防水シート材料からなる請求項１に記載の外壁防水構造。
【請求項３】
前記外壁下地材が、間隔をおいて平行に配置された複数の表側帯状小幅板と、間隔をおいて平行に配置された複数の裏側帯状小幅板とを互いに交差させた状態で接合一体化してなる壁下地パネルからなる請求項１又は２に記載の外壁防水構造。
【請求項４】
前記基材シートが、ポリオレフィン系樹脂からなる請求項１〜３のいずれか１項に記載の外壁防水構造。
【請求項５】
前記防水シートの全光線透過率が３０％以上である請求項１〜４のいずれか１項に記載の外壁防水構造。
【発明の詳細な説明】
【技術分野】
【０００１】
本発明は、外壁防水構造に関し、特に、ラスモルタルによる外壁材を施工してなる外壁の防水構造に関する。
【背景技術】
【０００２】
建物の外壁として、ラスモルタルによる外壁材を施工してなるものが知られている。ラスモルタルによる外壁材は、一般に、例えば柱や間柱等の外壁骨組み部材に支持させて、これの外側（屋外側）に例えば合板等からなる外壁下地材を設置し、さらにこの外壁下地材の外側の面を覆って防水シートを配設した後に、例えばラス網本体とワイヤーラス力骨とからなるラス網を取り付けると共に、防水シートの外側にモルタルを敷設して形成されることになる。
【０００３】
このようなラスモルタルによる外壁材を施工した外壁では、防水シートを外壁下地材に固定する際や、防水シートによって覆われた外壁下地材にラス網を固定する際に、例えば防水シート固定用のタッカーやラス網固定用のステープル釘等の釘部材を、防水シートを貫通させて外壁下地材に打ち込む必要があることから、打ち込みにより形成された貫通穴における釘部材の周囲との間の隙間を介して、雨水等の水がラスモルタルによる外壁材側から外壁下地材側に浸入するおそれがある。また漏水によって外壁材側から外壁下地材側に水が浸入すると、外壁下地材を痛めたり、外壁下地材にカビを生じさせたりして、外壁の耐久性を損うおそれがある。
【０００４】
このようなことから、例えばステープル釘を外壁下地材に向けて打ち込んだ際に防水シートに形成される貫通孔を介して、雨水等の水が外壁下地材側に浸入しないようにするための技術が開発されている（例えば、特許文献１）。
【特許文献１】特開２００６−３４８６６０号公報
【発明の開示】
【発明が解決しようとする課題】
【０００５】
一方、ラスモルタルによる外壁材を施工した外壁では、例えば防水シートの外側に敷設したモルタルが固化する際の物性の変化や収縮等によって、防水シートと固化したモルタルとの間には例えば０．５ｍｍ程度の僅かな隙間が生じ易い。モルタルが固化した後にこのような隙間が生じていると、例えばモルタルに発生したクラック等を介して防水シートとの間の隙間に浸入した雨水等の水が、当該隙間に滞留することで、相当の高さの水柱を形成し易くなる。
【０００６】
また、モルタルと防水シートとの間の隙間に滞留する水の高さが高くなってその水頭差が増加すると、外壁下地材を覆って取り付けられる防水シートに形成された、当該防水シートやラス網を固定するための釘部材による貫通孔の周囲には相当の水圧が負荷されることになり、釘部材と貫通孔との間の隙間を介して、雨水等の水がラスモルタルによる外壁材側から外壁下地材側に漏水して浸入するおそれがある。したがって、防水シートとモルタルとの間に大きな水圧で水が滞留するのを回避できるようにしたり、滞留した水が防水シートに形成された貫通孔を介して外壁材側から外壁下地材側に浸入しても、その量を僅かな量に留めることのできる新たな技術の開発が望まれている。
【０００７】
本発明は、防水シートとモルタルとの間に大きな水圧で水が滞留するのを効果的に回避できると共に、滞留した水が防水シートに形成された貫通孔を介して外壁材側から外壁下地材側に浸入しても、その量を僅かな量に留めることのできる外壁防水構造を提供することを目的とする。
【課題を解決するための手段】
【０００８】
本発明は、ラスモルタルによる外壁材を施工してなる外壁において、外壁骨組み部材の外側に設置した外壁下地材を覆って取り付けられる防水シートに形成された、当該防水シートを固定するための釘部材及びラス網を固定するための釘部材を前記外壁下地材に向けて打ち込んだ際の貫通孔を介して、前記外壁材側から前記外壁下地材側に水が浸入しないようにするための外壁防水構造であって、
前記防水シートは、合成樹脂製の基材シートの前記外壁材側の面を不織布層によって一面貼付けしてコーティングすると共に、前記外壁下地材側の面を高分子吸収樹脂層によって一面コーティングした防水シート材料からなり、前記防水シートは、前記基材シートとラスモルタルのモルタルとの間に前記不織布層を介在させて、前記モルタルと密着していると共に、前記高分子吸収樹脂層を前記釘部材の打込み圧力によって前記外壁下地材に密着させた状態で、前記外壁下地材に取り付けられている外壁防水構造を提供することにより、上記目的を達成したものである。
【０００９】
また、本発明の外壁防水構造は、前記防水シートが、ポリプロピレンを８０重量％、ポリエチレンを２０重量％混合した樹脂からなる、厚さが１４０μｍのシート材料を前記基材シートとして、これの前記外壁下地材側の面に、アクリル酸ナトリウム系の高吸水性ポリマーを８ｇ／ｍ2の塗布量で一面均一コーティングして前記高分子吸収樹脂層を形成すると共に、これの前記外壁材側の面に、ポリオレフィン系の不織布を１２ｇ／ｍ2の目付量（単位面積あたりの重量）で一面貼付けして前記不織布層を形成した前記防水シート材料からなっていることが好ましい。
【００１０】
また、本発明の外壁防水構造は、前記外壁下地材が、間隔をおいて平行に配置された複数の表側帯状小幅板と、間隔をおいて平行に配置された複数の裏側帯状小幅板とを互いに交差させた状態で接合一体化してなる壁下地パネルからなることが好ましい。
【００１１】
さらに、本発明の外壁防水構造は、前記基材シートが、ポリオレフィン系樹脂からなることが好ましい。
【００１２】
さらにまた、本発明の外壁防水構造は、前記防水シートの全光線透過率が３０％以上であることが好ましい。
【発明の効果】
【００１３】
本発明の外壁防水構造によれば、防水シートとモルタルとの間に大きな水圧で水が滞留するのを効果的に回避できると共に、滞留した水が防水シートに形成された貫通孔を介して外壁材側から外壁下地材側に浸入しても、その量を僅かな量に留めることができる。
【発明を実施するための最良の形態】
【００１４】
本発明の好ましい一実施形態に係る外壁防水構造１０は、例えば図１及び図２に示すように、柱１１ａ、間柱（図示せず。）、土台１１ｃ、梁１１ｄ等による外壁骨組み部材１１に支持させて、これらの外側に例えば公知の透湿防水シートからなる防風シート１２を配設すると共に、これの外側（屋外側）に例えば壁下地パネル１３からなる外壁下地材を設置し、さらにこの壁下地パネル１３の外側の面を覆って防水シート１４を配設した後に、ラス網１５を取り付けると共に防水シート１４の外側にモルタル１６を敷設して形成される建物の外壁１７において、防水シート１４を壁下地パネル１３に固定するためのタッカー１８等の釘部材や、ラス網１５を壁下地パネル１３に固定するためのステープル釘１９等の釘部材を壁下地パネル１３に向けて打ち込んだ際に防水シート１４に形成される貫通孔を介して、ラス網１５及びモルタル１６（ラスモルタル）による外壁材２０側から壁下地パネル１３側に水を浸入させないようにするための構造として採用されたものである。
【００１５】
すなわち、本実施形態の外壁防水構造１０は、防水シート１４とモルタル１６とを強固に密着させて、防水シート１４の外側に敷設したモルタル１６が固化する際に防水シート１４とモルタル１６との間に隙間が生じるのをできるだけ回避できるようにすると共に、防水シート１４とモルタル１６との間に隙間が生じて水が滞留し、滞留した水が外壁材２０側から壁下地パネル１３側に浸入した場合でも、その量を僅かな量に留めて、壁下地パネル１３が痛んだり、壁下地パネル１３にカビを生じたりするのを効果的に回避できるようにする機能を備えている。
【００１６】
そして、本実施形態の外壁防水構造１０は、ラスモルタル（ラス網１５及びモルタル１６）による外壁材２０を施工してなる外壁１７において、外壁骨組み部材１１の外側に設置した外壁下地材としての壁下地パネル１３を覆って取り付けられる防水シート１４に形成された、当該防水シート１４を固定するためのタッカー１８等の釘部材及びラス網１５を固定するためのステープル釘１９等の釘部材を壁下地パネル１３に向けて打ち込んだ際の貫通孔を介して、外壁材２０側から壁下地パネル１３側に水が浸入しないようにするための防水構造であって、防水シート１４は、合成樹脂製の基材シート２１の外壁材２０側の面を不織布層２２によってコーティングすると共に、壁下地パネル１３側の面を高分子吸収樹脂層２３によってコーティングした防水シート材料２４からなり、高分子吸収樹脂層２３をタッカー１８やステープル釘１９の打込み圧力によって壁下地パネル１３に密着させた状態で、壁下地パネル１３に取り付けられている。
【００１７】
本実施形態では、外壁骨組み部材１１に支持させて壁下地パネル１３を取り付けるのに先立って、外壁骨組み部材１１の外側に、防風シート１２を配設する。防風シート１２としては、例えばポリオレフィン系樹脂からなる公知の各種の建築用の透湿防水シートを用いることができる。なお、本実施形形態においては、防風シート１２を敷設する必要は必ずしもなく、外壁骨組み部材１１に壁下地パネル１３を直接取り付けても良い。
【００１８】
また、本実施形態では、壁下地パネル１３として、好ましくは図３に示すような、例えば特開２０００−１６０７３２号公報に記載のパネル部材と同様の構成を備える、間隔をおいて平行に配置された複数の表側帯状小幅板１３ａと、間隔をおいて平行に配置された複数の裏側帯状小幅板１３ｂとを互いに交差させた状態で接合一体化してなるものが用いられる。このような壁下地パネル１３は、各帯状小幅板１３ａ，１３ｂ間の間隔部分を経て空気を上昇させることにより、防風シート１２と防水シート１４との間に十分な通気を確保することが可能な通気層を形成することができ、また相反する方向に傾斜させた各帯状小幅板１３ａ，１３ｂを筋交いのように機能させて、構造用耐力部材としての所望の強度が得られるようになっている。
【００１９】
本実施形態では、壁下地パネル１３を覆って取り付けられる防水シート１４として、図２に示すように、基材シート２１の外壁材２０側の面を不織布層２２によってコーティングすると共に、壁下地パネル１３側の面を高分子吸収樹脂層２３によってコーティングした防水シート材料２４が用いられる。
【００２０】
ここで、基材シート２１としては、例えばポリオレフィン系樹脂として、ポリプロピレン系樹脂や、通常ポリエチレンとして知られている低密度ポリエチレン、直鎖状低密度ポリエチレン、高密度ポリエチレンの他、エチレン−酢酸ビニル共重合体、エチレン−メタクリル酸メチル共重合体等のエチレンと重合性二重結合を有するモノマーとの共重合体等を好ましく用いることができる。これらの樹脂を単独、或いは複数混合して得られる単層フィルムや積層フィルムを用いることができる。
【００２１】
また、不織布層２２を構成する不織布としては、例えばケミカルボンド、サ−マルボンド、ニ−ドルパンチ、ステッチボンド、スパンレ−ス、スパンボンド、メルトブロ−、湿式法等の公知の製造法で製造された、ポリエステル系又はポリオレフィン系不織布からなるものを好ましく用いることができる。また、引裂強度及び耐候性に優れると共に、透湿性及び防水性をも兼ね備える不織布を用いることが好ましい。
【００２２】
さらに、高分子吸収樹脂層２３を構成する高吸水性樹脂（高吸水性ポリマー）としては、例えば、セルロース・アクリルニトリル重合体、デンプン・アクリルニトリル重合体等の天然系のものや、アクリル酸・ビニルアルコール共重合体、アクリル酸ソーダ重合体、アクリル酸・アクリルアミド共重合体、ポリエチレンオキサイド変成物、イソブチレン・無水マレイン酸共重合体等の合成系のものを好ましく使用することができる。またアクリル酸ナトリウム系のものを用いることが特に好ましい。
【００２３】
本実施形態では、より具体的には、例えばポリプロピレンを８０重量％、ポリエチレンを２０重量％混合した樹脂からなる、厚さが１４０μｍのシート材料を基材シート２１として、これの壁下地パネル１３側の面となる裏面に、アクリル酸ナトリウム系の高吸水性ポリマーを８ｇ／ｍ2の塗布量で一面均一コーティングして高分子吸収樹脂層２３を形成すると共に、これの外壁材２０側の面となる裏面に、ポリオレフィン系の不織布を１２ｇ／ｍ2の目付量（単位面積あたりの重量）で一面貼付けして不織布層２２を形成した防水シート材料２４を、防水シート１４として使用している。
【００２４】
また、本実施形態では、高分子吸収樹脂層２３が、防カビ剤を含んでいることが好ましい。防カビ剤としては、例えば有機ヨード系、界面活性剤系、ビグアナイド系、アルコール系、フェノール系、アニリド系、ヨウ素系、イミダゾール系、チアゾール系、イソチアゾール系、トリアジン系、ニトリル系、フッ素系、糖質系、トロポロン系等の有機系の防カビ剤や、ゼオライト、シリカ、アルミナ、リン酸ジルコニウム、リン酸カルシウム、リン酸ジルコニウム、ケイ酸カルシウム、シリカゲル、ガラス、酸化亜鉛等の無機質粉末に銀、銅、亜鉛等の抗菌性を有する金属を担持させてなる有機系の防カビ剤等、防カビ剤として知られる種々のものを用いることができる。高分子吸収樹脂層２３が防カビ剤を含んでいることにより、高分子吸収樹脂層２３が、タッカー１８やステープル釘１９等の釘部材を打ち込んだ際に防水シート１４に形成された貫通孔を介して外壁材２０側から壁下地パネル１３側に浸入した水を吸収して膨潤することにより、防水シート１４の壁下地パネル１３側において吸収した水を長期間保持した場合でも、保持された水の影響で壁下地パネル１３にカビが生じるのを、効果的に回避することが可能になる。
【００２５】
さらに、本実施形態では、防水シート１４の全光線透過率が３０％以上となっていることが好ましい。防水シート１４の全光線透過率が３０％以上となっていることにより、防水シート１４の表側（外壁材２０側の面）から裏側の壁下地パネル１３を容易に視認することが可能になり、壁下地パネル１３が間隔をおいて平行に配置された複数の表側帯状小幅板１３ａと複数の裏側帯状小幅板１３ｂとを互いに交差させた状態で接合一体化してなる、各帯状小幅板１３ａ，１３ｂ間に間隔部分を有するものであっても、このような間隔部分を避けつつ表側の帯状小幅板１３ａに向けて確実にタッカー１８やステープル釘１９を打ち込むことが可能になる。
【００２６】
さらにまた、本実施形態では、壁下地パネル１３を覆って防水シート１４を固定する際に、公知の専用の打込み装置を用いてタッカー１８を壁下地パネル１３に向けて打ち込むことが好ましい。タッカー１８を専用の打込み装置を用いて打ち込むことにより、その打込み圧力によって、防水シート１４の高分子吸収樹脂層２３を強固且つ安定した状態で壁下地パネル１３に密着させることが可能になる。なお、タッカー１８が打ち込まれた部分において、防水シート１４の高分子吸収樹脂層２３と壁下地パネル１３との密着性が不十分であると、高分子吸収樹脂層２３が防水シート１４に形成された貫通孔を介して壁下地パネル１３側に浸入した水を吸収することにより膨潤しても、当該膨潤した高分子吸収樹脂層２３による貫通孔の止水機能を、十分に発揮させることができなくなるおそれがある。
【００２７】
本実施形態では、さらに、防水シート１４を取り付けた壁下地パネル１３の外側に、ラス網１５及びモルタル１６（ラスモルタル）からなる外壁材２０を施工することにより、建物の外壁１７が形成される。ラス網１５としては、例えばラス網本体１５ｂとワイヤーラス力骨１５ａとからなる公知の各種の外壁用のラス網を用いることができる。ラス網１５は、例えば１００ｍｍ程度のピッチでステープル釘１９を壁下地パネル１３に向けて打ち込んでワイヤーラス力骨１５ａを固定することにより、ラス網本体１５ｂをモルタル１６の厚さ方向略中央部分に配置した状態で壁下地パネル１３に取り付けられる。
【００２８】
ここで、ステープル釘１９は、公知の専用の打込み装置を用いて壁下地パネル１３に向けて打ち込むことが好ましい。ステープル釘１９を専用の打込み装置を用いて打ち込むことにより、その打込み圧力によって、防水シート１４の高分子吸収樹脂層２３を強固且つ安定した状態で壁下地パネル１３に密着させることが可能になる。これによって、ステープル釘１９が打ち込まれた部分において、高分子吸収樹脂層２３が防水シート１４に形成された貫通孔を介して壁下地パネル１３側に浸入した水を吸収して膨潤した際に、貫通孔を強固に止水することが可能になる。
【００２９】
また、本実施形態では、防水シート１４の外側に敷設されるモルタル１６として、外壁用に配合された公知の各種のモルタルを用いることができ、従来と同様の方法によって、ラス網１５が取り付けられた防水シート１４の外側に例えば１５〜３０ｍｍ程度の厚さで塗着される。塗着したモルタル１６が固化することにより、本実施形態の外壁防水構造１０が形成される。
【００３０】
そして、上述の構成を備える本実施形態の外壁防水構造１０によれば、防水シート１４とモルタル１６との間に大きな水圧で水が滞留するのを効果的に回避できると共に、滞留した水がタッカー１８やステープル釘１９を打ち込んだ際に防水シート１４に形成された貫通孔を介して外壁材２０側から壁下地パネル１３側に浸入しても、その量を僅かな量に留めることが可能になる。
【００３１】
すなわち、本実施形態の外壁防水構造１０によれば、壁下地パネル１３を覆って取り付けられる防水シート１４が、合成樹脂製の基材シート２１の外壁材２０側の面を不織布層２２によってコーティングすると共に、壁下地パネル１３側の面を高分子吸収樹脂層２３によってコーティングした防水シート材料２４からなるので、基材シート２１とモルタル１６との間に不織布層２２が介在することになって防水シート１４とモルタル１６とが強固に密着するので、防水シート１４とモルタル１６との間に隙間が生じないようにしたり、隙間が生じても極僅かな隙間に留めることが可能になる。また、防水シート１４とモルタル１６との間に隙間が生じて雨水等の水が滞留しても、不織布層２２に浸漬された状態で滞留するので、不織布層２２の毛細管張力等の作用によって、滞留した水によって大きな水圧が生じるのを効果的に緩和することが可能になる。
【００３２】
さらに、滞留した水が貫通孔を介して下地パネル１３側に浸入したとしても、基材シート２１の壁下地パネル１３側の面にコーティングされて壁下地パネル１３に密着している高分子吸収樹脂層２３が浸入した水を吸収して膨潤することにより、貫通孔を閉塞して引続いて浸入しようとする水を遮断する止水性を発揮するので、壁下地パネル１３側に浸入する水を極僅かな量に留めることが可能になる。
【００３３】
また、本実施形態によれば、壁下地パネル１３は、間隔をおいて平行に配置された複数の表側帯状小幅板１３ａと複数の裏側帯状小幅板１３ｂとを互いに交差させた状態で接合一体化してなるものであり、各帯状小幅板１３ａ，１３ｂ間の間隔部分を経て空気を上昇させる通気層を形成することができるので、高分子吸収樹脂層２３が浸入した水を吸収して膨潤することにより、防水シート１４の壁下地パネル１３側において吸収した水を保持した場合でも、保持された水を通気層を通過する空気によって乾燥させることが可能になり、高分子吸収樹脂層２３に吸収した水が長期間保持されないようにして、下地パネル１３にカビが発生するのをさらに効果的に回避することが可能になる。
【００３４】
なお、本発明は上記実施形態に限定されることなく種々の変更が可能である。例えば、外壁下地材は、間隔をおいて平行に配置された複数の表側帯状小幅板と複数の裏側帯状小幅板とを互いに交差させた状態で接合一体化してなる壁下地パネルである必要は必ずしも無く、合板等のその他の種々の外壁下地材であっても良い。通気層を形成可能な縦胴縁等であっても良い。また、外壁下地材の裏側の外壁骨組み部材によって囲まれる部分に断熱材を配置して、外壁が形成されていても良い。
【図面の簡単な説明】
【００３５】
【図１】本発明の好ましい一実施形態に係る外壁防水構造が設けられる外壁の構成を説明する略示斜視図である。
【図２】本発明の好ましい一実施形態に係る外壁防水構造の構成を説明する要部断面図である。
【図３】本発明の好ましい一実施形態に係る外壁防水構造において用いる壁下地パネル（外壁下地材）の正面図である。
【００３６】
１０  外壁防水構造
１１  外壁骨組み部材
１２  防風シート
１３  壁下地パネル（外壁下地材）
１３ａ，１３ｂ  帯状小幅板
１４  防水シート
１５  ラス網
１５ａ  ワイヤーラス力骨
１５ｂ  ラス網本体
１６  モルタル
１７  外壁
１８  タッカー（釘部材）
１９  ステープル釘（釘部材）
２０  外壁材
２１  基材シート
２２  不織布層
２３  高分子吸収樹脂層
２４  防水シート材料
【図１】
0005592595.tif 000002
【図２】
0005592595.tif 000003
【図３】
0005592595.tif 000004